(57)【要約】      （修正有）【課題】所望の繰り出し位置に止められその繰り出し操作が任意部分でなせるレール式遮蔽装置を提供する。【解決手段】所定方向に延伸するガイドレール１２をそれぞれ有するレールユニット１と、各レールユニット１の一端側にそれぞれ設けられた一対の取り付けユニット２と、各取り付けユニット２間に架設された巻き取り軸３１、巻き取り軸３１に一端縁が固定されたスクリーン３２及びスクリーン３２の他端縁に設けられたグリップバー３３を有するスクリーンユニット３とを備える。さらに、グリップバー３３に挿設された車軸４１と車軸４１の両端に固定された一対の輪体４２とを有することでガイドレール１２に沿ってスクリーン３２を展開又は収納するよう移動するランナーユニット４と、車軸４１との間に摩擦を生じるようグリップバー３３に設けられたホルダー部材５１を有する抵抗ユニット５と、を備える。【選択図】図１
0003179176.tif 000002
【実用新案登録請求の範囲】
【請求項１】
所定の方向に延伸し第１の案内面を有するガイドレールをそれぞれ有し、且つ所定の間隔で並行している一対のレールユニットと、
各前記レールユニットの一端側にそれぞれ設けられた一対の取り付けユニットと、
各前記取り付けユニットの間に回転可能に架設され、前記ガイドレールと直交する方向に延伸している巻き取り軸、該巻き取り軸により巻き取られたり繰り出されたりすることができるようにその一端縁が該巻き取り軸に固定されたスクリーン及び該スクリーンの他端縁に設けられ該巻き取り軸と平行な方向に延伸しているグリップバーを有するスクリーンユニットと、
前記巻き取り軸と平行な方向に延伸するように前記グリップバーに回転可能に挿設されている車軸及び該車軸の両端に固定され、前記ガイドレールの前記第１の案内面と係合可能な第２の案内面を備えた一対の輪体を有することにより、前記ガイドレールに沿って前記スクリーンが展開されたり収納されたりすることができるように移動するランナーユニットと、
前記車軸と接触することにより前記車軸との間に摩擦抵抗を生ずることができるように前記グリップバーに設けられたホルダー部材を有する抵抗ユニットと、
を備えたことを特徴とするレール式遮蔽装置。
【請求項２】
前記ガイドレールの前記第１の案内面には案内溝が設けられており、前記輪体の前記第２の案内面には該案内溝と形状が対応する突条が前記輪体の周方向に連続して設けられている
ことを特徴する請求項１に記載のレール式遮蔽装置。
【請求項３】
前記ガイドレールの前記第１の案内面には突条が設けられており、前記輪体の前記第２の案内面には該突条と形状が対応する案内溝が前記輪体の周方向に連続して設けられている
ことを特徴する請求項１に記載のレール式遮蔽装置。
【請求項４】
前記ホルダー部材は、連結壁と、前記連結壁と共に開放空間を画成するように前記連結壁の両端から互いに間隔を空けて対面するようにそれぞれ延伸したホルダー壁と、を有しており、前記開放空間は、前記連結壁に近い側に位置し、前記車軸が通る貫通部と、前記連結壁から遠い側に位置し、前記車軸が通らない開放部と、を含む
ことを特徴とする請求項１〜３のいずれか一項に記載のレール式遮蔽装置。
【請求項５】
前記グリップバーは中空体であり、前記ホルダー部材は前記グリップバー内に設けられており、また、前記抵抗ユニットは、前記ホルダー部材を前記グリップバーに固定するための締め具を更に有しており、該締め具は、前記グリップバーと、前記ホルダー壁の前記連結壁側とは反対の側と、をそれぞれ貫通するように螺挿されている
ことを特徴とする請求項４に記載のレール式遮蔽装置。
【請求項６】
前記ランナーユニットは、前記輪体を前記ガイドレールに押さえつけるように付勢する付勢手段を更に有する
ことを特徴とする請求項１〜５のいずれか一項に記載のレール式遮蔽装置。
【請求項７】
各前記レールユニットは、前記ガイドレールと平行な方向に延伸し前記ガイドレールを保持する案内枠をそれぞれ有し、
該案内枠は、側壁と、該側壁の両端からそれぞれ他方のレールユニットに向かって互いに平行となるように延伸する上壁及び下壁と、を有しており、
前記ガイドレールは該下壁に設けられており、
前記付勢手段は、前記側壁と面平行に設けられ、且つ前記輪体の両側でそれぞれ前記車軸に挿通されている２つの側片と、両側が該２つの側片の上端にそれぞれ繋がっている上、前記上壁と離間している上壁離間部及び前記上壁に当接する上壁当接部が形成されるように前記所定の方向に延伸していて前記側片で前記車軸を上から弾性的に押さえている板ばねと、を備えている
ことを特徴とする請求項６に記載のレール式遮蔽装置。
【考案の詳細な説明】
【技術分野】
【０００１】
本考案は、一対のレールユニットに沿ってスクリーンユニットが案内移動されるレール式遮蔽装置に関する。
【背景技術】
【０００２】
例えば自動車のサンルーフなどに取り付けられるロールスクリーンにおいては、スクリーンは、巻き取りロールに固定された固定端と、その反対に位置する自由端と、を前後方向に有しており、スクリーンの前後方向両側にそれぞれ設けられたガイドレールにより、スクリーンの繰り出しおよび巻き取りに係る自由端の移動を案内する装置が用いられている。また、このような装置では、遮蔽効果を調整するため、所望の繰り出し位置にスクリーンを止められる構造を備えたものもある。
【考案の概要】
【考案が解決しようとする課題】
【０００３】
しかしながら上述のようなレール式スクリーン装置では、スクリーンを展開させる際に、ガイドレールに沿ってスムーズに移動させるために、スクリーンの自由端中央部分を引っ張ることによりスクリーンの左右両側に均等に力がかかるようにする必要があり、例えば中央部分から離れた部分を引っ張ると、両側にかかる力が不均衡になり、スクリーンが斜めになったり、レールに引っかかったりして、スムーズに移動できなくなるという問題点がある。
【０００４】
そこで本考案は、所望の繰り出し位置に止まることができる上に、その繰り出し操作が任意の部分でなされることができるレール式遮蔽装置の提供を目的とする。
【課題を解決するための手段】
【０００５】
前記目的を達成するために、本考案は、
所定の方向に延伸し第１の案内面を有するガイドレールをそれぞれ有し、且つ所定の間隔で並行している一対のレールユニットと、
各前記レールユニットの一端側にそれぞれ設けられた一対の取り付けユニットと、
各前記取り付けユニットの間に回転可能に架設され、前記ガイドレールと直交する方向に延伸している巻き取り軸、該巻き取り軸により巻き取られたり繰り出されたりすることができるようにその一端縁が該巻き取り軸に固定されたスクリーン及び該スクリーンの他端縁に設けられ該巻き取り軸と平行な方向に延伸しているグリップバーを有するスクリーンユニットと、
前記巻き取り軸と平行な方向に延伸するように前記グリップバーに回転可能に挿設されている車軸及び該車軸の両端に固定され、前記ガイドレールの前記第１の案内面と係合可能な第２の案内面を具えた一対の輪体を有することにより、前記ガイドレールに沿って前記スクリーンが展開されたり収納されたりすることができるように移動するランナーユニットと、
前記車軸と接触することにより前記車軸との間に摩擦抵抗を生ずることができるように前記グリップバーに設けられたホルダー部材を有する抵抗ユニットと、
を備えたことを特徴とするレール式遮蔽装置を提供する。
【考案の効果】
【０００６】
上記構成により、本考案のレール式遮蔽装置は、輪体とガイドレールとの嵌合により輪体がガイドレールに沿ってスムーズに転動することができるので、グリップバーの中央部分だけでなく、任意の部分でスクリーンの繰り出しまたは巻き取り操作をなすことができる。
【０００７】
また、車軸との間に摩擦抵抗を生ずる抵抗ユニットがグリップバーに設けられていることにより、スクリーンが所望の展開位置となるところでグリップバーが止まることができる。
【図面の簡単な説明】
【０００８】
【図１】本考案に係るレール式遮蔽装置の第１の実施形態を示す平面図である。
【図２】上記第１の実施形態を示す部分斜視図である。
【図３】上記第１の実施形態を示す部分断面図である。
【図４】上記第１の実施形態を示す部分断面図である。
【図５】上記第１の実施形態を示す部分分解斜視図である。
【図６】上記第１の実施形態を示す部分断面図である。
【図７】図１のレール式遮蔽装置における繰り出し状態を示す平面図である。
【図８】本考案に係るレール式遮蔽装置の第２の実施形態を示す部分分解斜視図である。
【図９】上記第２の実施形態を示す部分断面図である。
【考案を実施するための形態】
【０００９】
本考案のレール式遮蔽装置は、例えば乗り物や建築物の窓際に遮光用に取り付けられ、具体的には、日差しを遮るためにサンルーフの下方に設けられたり、サイドウィンドーの内側に設けられたりすることができるが、設置場所については限定されない。
【００１０】
以下、添付図面を参照しながら、２つの実施形態を具体例として本考案を詳しく説明する。
【００１１】
（第１の実施形態）
図１〜図７は、本考案に係るレール式遮蔽装置の第１の実施形態を示している。
【００１２】
本考案に係るレール式遮蔽装置は、所定の間隔で並行している一対のレールユニット１，１と、各レールユニット１，１の一端側にそれぞれ設けられた一対の取り付けユニット２，２と、一対の取り付けユニット２，２の間に一端縁が固定されるように設けられたスクリーンユニット３と、一対のレールユニット１，１間に跨りながらスクリーンユニット３の他端縁を挿通するように設けられたランナーユニット４と、を備えている。
【００１３】
各レールユニット１，１は、所定の方向に延伸し第１の案内面１２１を有するガイドレール１２と、ガイドレール１２と平行に延伸する中空の案内枠１１と、を有しており、ガイドレール１２は案内枠１１の内側に保持されている。
【００１４】
案内枠１１は、側壁１１１と、側壁１１１の両端からそれぞれ他方のレールユニット１に向かって互いに平行となるように延伸している上壁１１２及び下壁１１３と、を有しており、これら側壁１１１、上壁１１２、下壁１１３からコの字形に形成されている。また、側壁１１１、上壁１１２、下壁１１３により案内枠１１の内側には案内空間１１４が画成されており、各レールユニット１間で案内枠１１が形成するコの字の開口同士が向かい合っている。
【００１５】
ガイドレール１２は、案内枠１１の内側において上壁１１２または下壁１１３のどちらか一方に設けられればよく、あるいは両方に設けられてもよい。さらにガイドレール１２は案内枠１１と一体に成形されるように設けられても構わない。本実施形態においては、ガイドレール１２は下壁１１３の内側、つまり下壁１１３における上壁１１２と向かい合う面に設置されている。
【００１６】
ガイドレール１２の第１の案内面１２１には、ガイドレール１２の延伸方向に沿って延伸している案内溝１２２が凹設されており、案内溝１２２はその断面がＵ字形を呈している。
【００１７】
一対の取り付けユニット２は、スクリーンユニット３を設置場所に取り付けるためのものであり、両ガイドレール１２，１２の一端側にそれぞれ設けられた取り付け座２１を有している。本実施例では取り付け座２１を両ガイドレール１２，１２の一端側にそれぞれ一つずつ計２つ設けたが、あるいはこれら２つを一体に成形して１つとしても構わない。スクリーンを設置するために用いるこのようなユニットは、本考案の重点ではないのでこれ以上の説明を省略する。
【００１８】
スクリーンユニット３は、両ガイドレール１２，１２がともに直交する方向に延伸しており且つ各取り付け座２１，２１の間に回転可能に架け渡されている巻き取り軸３１と、巻き取り軸３１により巻き取られたり繰り出されたりすることができるようにその一端縁が巻き取り軸３１に固定されたスクリーン３２と、スクリーン３２の他端縁に固定されており、巻き取り軸３１と平行な方向に延伸している中空体のグリップバー３３と、を有している。
【００１９】
また図示はされていないが、スクリーンユニット３は更に、スクリーン３２を巻き取る方向に巻き取り軸３１を回転させるための少なくとも１つの弾性体を有しており、この弾性体は一端が取り付け座２１に、他端が巻き取り軸３１にそれぞれ固定されている。これによりスクリーン３２は常時巻き取り軸３１により巻き取られる方向に引っ張られており、外力が与えられていない時には巻き取り軸３１により巻き取られる。このような弾性体を用いた巻き取り機構は広く用いられているものなので、ここではこれ以上の説明を省く。
【００２０】
ランナーユニット４は、巻き取り軸３１と平行な方向に延伸するようにグリップバー３３内に回転可能に挿設されている車軸４１と、車軸４１の両端に固定され且つそれぞれが案内枠１１の案内空間１１４に位置している一対の輪体４２と、を有している。輪体４２は、ガイドレール１２の第１の案内面１２１と係合可能な第２の案内面４２１を有しており、これによりランナーユニット４はガイドレール１２に沿ってスクリーンが展開されたり収納されたりすることができるように移動できる。
【００２１】
本実施形態では、輪体４２の第２の案内面４２１には、ガイドレール１２の第１の案内面１２１に設けられている案内溝１２２と形状が対応する突条４２２が輪体４２の周方向に連続して設けられている。突条４２２は、本実施形態では案内溝１２２と同様に断面がＵ字形を呈するように形成されているが、これに限らず、例えばＶ字形、台形、鋸形などであっても構わず、要は両者の形状が対応して互いに係合できさえすればよい。
【００２２】
このような構成により、グリップバー３３がガイドレール１２の延伸方向、つまりはスクリーン３２の展開方向に移動されると、車軸４１はグリップバー３３内で回転し、これと同時に車軸４１に固定されている各輪体４２はガイドレール１２に沿ってそれぞれ転動する。この時、突条４２２と案内溝１２２との係合により、輪体４２は、ガイドレール１２の延伸方向以外の方向にぐらつくことなく、ガイドレール１２に沿ってスムーズに移動することができる。
【００２３】
輪体４２としては、例えばシリコン樹脂やゴムなどの軟性材料で形成されたボールや車輪を用いることができ、一方、ガイドレール１２としては、輪体４２の材料よりも硬い例えばプラスチック材料を用いることができる。このようにすればガイドレール１２と輪体４２との間の静止摩擦力が比較的大きくなり、転動時に滑って輪体４２が空転することを防ぐことができ、また輪体４２が移動する際に発する音も小さくなるという効果を得ることができる。当然、これとは逆に、輪体４２に比較的硬い材料を用いて、ガイドレール１２に比較的軟らかい材料を用いても構わず、このようにしても同様の効果を得ることができる。但し、上述した材料は例示であり、本考案はこれに限定されるものではない。
【００２４】
また、図２、図３、図４に示されているように、本実施形態においては、ランナーユニット４は更に、輪体４２をガイドレール１２に押さえつけるように付勢する付勢手段４３を車軸４１の両端にそれぞれ有している。
【００２５】
付勢手段４３は、案内枠１１の側壁１１１と面平行に設けられ、且つ輪体４２の両側でそれぞれ車軸４１に挿通されている２つの側片４３１と、両側が２つの側片４３１の上端にそれぞれ繋がっている上、案内枠１１の上壁１１２と離間している上壁離間部４３２ａと上壁１１２に当接する上壁当接部４３２ｂとが形成されるようにガイドレール１２と平行に延伸していて上壁離間部４３２ａで車軸４１を上から弾性的に押さえている板ばね４３２と、を備えている。
【００２６】
更に詳しく言うと、上壁離間部４３２ａは、２つの側片４３１の各上端（上壁１１２に近い側の端）を繋いでおり、且つ案内枠１１の上壁１１２と輪体４２との間にそれぞれと間隔を空けて設けられている。上壁当接部４３２ｂは、この上壁離間部４３２ａの輪体４２と対向する側でない側から上壁１１２に向かってそれぞれ延伸しているものであり、その延伸端が上壁１１２に当接している。これら上壁離間部４３２ａと上壁当接部４３２ｂとから構成される板ばね４３２を備えることにより、付勢手段４３は、側片４３１により車軸４１を下壁１１３側に弾性的に押さえつけることができ、さらには輪体４２をガイドレール１２に弾性的に押さえつけることができる。
【００２７】
付勢手段４３の構成は上記に限らず、例えば本実施形態では上壁当接部４３２ｂを上壁離間部４３２ａの両側それぞれから延伸するように計２つ設けたが、１つだけ設けても構わず、要は輪体４２をガイドレール１２に弾性的に押さえつけることができればよい。
【００２８】
また、図１、図５、図６に示されているように、本考案に係るレール式遮蔽装置は更に、上述した巻き取り軸３１を回転させるための弾性体に対抗してスクリーン３２を任意の展開位置に止めるための抵抗ユニット５を備えており、抵抗ユニット５は、車軸４１と接触することにより車軸４１との間に摩擦抵抗を生ずることができるようにグリップバー３３に設けられたホルダー部材５１と、ホルダー部材５１をグリップバー３３に固定するための締め具５２と、を有している。
【００２９】
ホルダー部材５１は本実施形態においてはグリップバー３３の内部に設けられており、連結壁５１２と、連結壁５１２と共に開放空間５１３を画成するように連結壁５１２の両端から互いに間隔を空けて対面するようにそれぞれ延伸したホルダー壁５１１と、から、コの字形に形成されている。
【００３０】
開放空間５１３は、連結壁５１２に近い側に位置し且つ車軸４１を挿通させている貫通部５１４と、連結壁５１２から遠い側に位置し且つ車軸４１を挿通させていない開放部５１５と、を含んでいる。
【００３１】
貫通部５１４の断面形状は、車軸４１を挿通させるために車軸４１の断面形状に対応しており、且つ開放部５１５における両ホルダー壁５１１間の距離は貫通部５１４におけるそれよりも短い。これにより車軸４１は両ホルダー壁５１１に挟まれるように貫通部５１４に定位され、回転する際にホルダー壁５１１との間に摩擦抵抗が生じる。
【００３２】
また、各ホルダー壁５１１における連結壁５１２とは反対の側（つまり開放部５１５側）、およびグリップバー３３にはそれぞれ対応する位置にねじ孔５１６が貫設されており、締め具５２がこのねじ孔５１６に螺挿されている。これによりホルダー部材５１をグリップバー３３内に固定することができると共に、車軸４１の貫通部５１４への定位をより確固たるものにすることができる。
【００３３】
なお、締め具５２として本実施形態では１本のねじを用いたが、締め具５２とそれに対応するねじ孔５１６の数量はこれに限らず、複数設けても構わない。また、本実施形態では両ホルダー壁５１１の前側、つまり両ホルダー壁５１１におけるスクリーン３２の展開方向側に連結壁５１２を、両ホルダー壁５１１の後側、つまり両ホルダー壁５１１におけるスクリーン３２の収納方向側にねじ孔５１６をそれぞれ設けたが、この配置を逆にしても構わない。
【００３４】
以下では、本考案に係るレール式遮蔽装置における使用時の動作を説明する。
【００３５】
グリップバー３３は、巻き取り軸３１に近づいた位置でありスクリーン３２が巻き取り軸３１により巻き取られた位置である収納位置（図１）と、巻き取り軸３１から離れた位置でありスクリーン３２が展開された位置である展開位置（図７）と、の間の任意の位置に、引かれたり押されたりすることにより移動することができる。
【００３６】
例えばスクリーン３２を繰り出す際には、グリップバー３３を上記収納位置側から、上記展開位置側に向かって引くと、グリップバー３３の移動に伴って車軸４１および輪体４２がガイドレール１２に沿って移動し、同時にスクリーン３２が巻き取り軸３１から繰り出されて展開される。
【００３７】
逆に、スクリーン３２を巻き取る際には、グリップバー３３を上記展開位置側から、上記収納位置側に向かって引くと、グリップバー３３の移動に伴って車軸４１および輪体４２がガイドレール１２に沿って移動し、同時にスクリーン３２が巻き取り軸３１に巻き取られて収納される。
【００３８】
上述の様にスクリーン３２が繰り出されたり巻き取られたりする過程においては、輪体４２は、突条４２２がガイドレール１２の案内溝１２２に嵌りながら転動し、また輪体４２は車軸４１に固定されているので、車軸４１も輪体４２と同軸で回転する。この際、輪体４２とガイドレール１２とは嵌合しているので、スクリーン３２の展開および収納操作においては、グリップバー３３の中央付近だけでなく、例えば両端のどちらか一方のみを持って操作しても、輪体４２がぐらついたりガイドレール１２から外れたりすることがない。これによりグリップバー３３は移動中に傾くことなくスムーズに移動することができる。
【００３９】
また、上述のように、車軸４１はホルダー部材５１に貫挿されホルダー壁５１１と接触しており、更には締め具５２がホルダー壁５１１のねじ孔５１６に螺挿されているので、車軸４１を回転させるためには、車軸４１とホルダー壁５１１との間の摩擦力よりも大きな力をかける必要がある。そこで、グリップバー３３を移動させてスクリーン３２を展開または収納する際には、上述の摩擦力によりグリップバー３３を所望の位置に留めることができ、これによりスクリーン３２を所望の繰り出し位置に保持することができる。なお、上述した弾性体を用いた巻き取り機構は、その巻き取り力が抵抗ユニット５による摩擦力よりも小さくなるように構成されている。
【００４０】
また、ガイドレール１２と輪体４２との間の静止摩擦力により、グリップバー３３を所望の位置に留めた際に、輪体４２がガイドレール１２上で回転せずに滑ることによってグリップバー３３が移動してしまうことを防ぐことができる。
【００４１】
（第２の実施形態）
図８及び図９は、本考案に係るレール式遮蔽装置の第２の実施形態を示している。第２の実施形態におけるレール式遮蔽装置の構造は概ね第１の実施形態と同じであるが、第１の実施形態では、ガイドレール１２側に案内溝１２２を、輪体４２側に突条４２２を設けたのに対し、第２の実施形態では、ガイドレール１２側に突条１２３を、輪体４２側に案内溝４２３をそれぞれ設けた点が異なる。詳しく言えば、第２の実施形態では、ガイドレール１２の第１の案内面１２１には突条１２３が設けられており、輪体４２の第２の案内面４２１には突条１２３と形状が対応する案内溝４２３が輪体４２の周方向に連続して設けられている。
【００４２】
本実施形態では、突条１２３と案内溝４２３とはそれぞれ台形に形成されているが、形状はこれに限らず例えばＵ字形、Ｖ字形、鋸形などであっても構わず、要は両者の形状が対応して互いに係合できさえすればよい。
【００４３】
このような構成により、第１の実施形態と同様に、グリップバー３３がガイドレール１２の延伸方向、つまりはスクリーン３２の展開方向に移動されると、車軸４１はグリップバー３３内で回転し、これと同時に車軸４１に固定されている各輪体４２はガイドレール１２に沿ってそれぞれ転動する。この時、突条１２３と案内溝４２３との係合により、輪体４２は、ガイドレール１２の延伸方向以外の方向にぐらつくことなく、ガイドレール１２に沿ってスムーズに移動することができる。
【００４４】
以上、総括すると、本考案に係るレール式遮蔽装置は、車軸４１と輪体４２とが固定されていること、および輪体４２とガイドレール１２とが嵌合していることにより、輪体４２がガイドレール１２に沿ってスムーズに転動することができるので、グリップバー３３の任意の部分でスクリーンの繰り出しまたは巻き取り操作ができる。
【００４５】
また、車軸４１に摩擦抵抗力を有するホルダー部材５１を備えた抵抗ユニット５が設けられていることにより、スクリーン３２が所望の繰り出し位置となるところでグリップバー３３を留めることができる。
【００４６】
以上、本考案の好ましい実施形態を説明したが、本考案はこれに限定されるものではなく、その要旨を逸脱しない範囲で種々変更可能であることはいうまでもない。
【符号の説明】
【００４７】
１        レールユニット
１１      案内枠
１１１    側壁
１１２    上壁
１１３    下壁
１１４    案内空間
１２      ガイドレール
１２１    第１の案内面
１２２    案内溝
１２３    突条
２        取り付けユニット
２１      取り付け座
３        スクリーンユニット
３１      巻き取り軸
３２      スクリーン
３３      グリップバー
４        ランナーユニット
４１      車軸
４２      輪体
４２１    第２の案内面
４２２    突条
４２３    案内溝
４３      付勢手段
４３１    側片
４３２    板ばね
４３２ａ  上壁離間部
４３２ｂ  上壁当接部
５        抵抗ユニット
５１      ホルダー部材
５１１    ホルダー壁
５１２    連結壁
５１３    開放空間
５１４    貫通部
５１５    開放部
５２      締め具
【図１】
0003179176.tif 000003
【図２】
0003179176.tif 000004
【図３】
0003179176.tif 000005
【図４】
0003179176.tif 000006
【図５】
0003179176.tif 000007
【図６】
0003179176.tif 000008
【図７】
0003179176.tif 000009
【図８】
0003179176.tif 000010
【図９】
0003179176.tif 000011